(57)【特許請求の範囲】
【請求項１】
食器を収容し、洗浄水を噴き付けて食器の洗浄を行う洗浄槽と、
前記洗浄槽内に形成された洗浄空間に配設された空気吸引口から、前記洗浄空間に配設された空気供給口に亘って形成された通風経路を経て、前記洗浄空間内の空気を循環させる通風手段と、
前記通風経路を経て循環される空気の除湿を行う除湿部と、
食器類を乾燥させる乾燥工程において、前記洗浄空間内の空気を前記空気吸引口から吸引し、前記除湿部に導いて除湿した後、前記通風経路を経て前記洗浄空間に戻す、除湿乾燥運転を、所定の乾燥時間に亘り実行するように構成された食器洗浄乾燥機であって、
前記除湿部は、前記空気吸引口から吸引された前記洗浄空間からの空気を、単位時間当たりに所定の流量が供給される除湿用冷却水と所定の乾燥時間だけ接触させて、空気中の水分を凝縮させることにより、前記空気吸引口から吸引された前記洗浄空間からの空気の除湿を行い、
前記除湿用冷却水が、食器洗浄乾燥機が備える給水部を経由して、該食器洗浄乾燥機の外部から供給されるように構成されているとともに、
前記給水部から供給される前記除湿用冷却水の温度を検出する冷却水用温度検出手段を備えており、
前記冷却水用温度検出手段による検出温度が高いときには、前記冷却水用温度検出手段による検出温度が低いときよりも、前記所定の乾燥時間を長くする態様で、前記洗浄空間からの空気と前記除湿用冷却水とを接触させる前記所定の乾燥時間が設定されるように構成されていること
を特徴とする食器洗浄乾燥機。
【発明の詳細な説明】
【技術分野】
【０００１】
本発明は、食器の洗浄、乾燥を行う食器洗浄乾燥機に関し、詳しくは、食器を乾燥させる工程において、洗浄空間内の空気を除湿しながら循環させることにより、多量の水分を含む空気を外部に排出することなく食器を乾燥させる機能を備えた食器洗浄乾燥機に関する。
【背景技術】
【０００２】
皿や茶碗等の食器類を洗浄、乾燥するのに使用される食器洗浄乾燥機の使用形態としては、洗浄空間内に洗浄対象物が収納され、洗浄空間内に備えられた洗浄ノズルから洗浄対象物に向けて洗浄水を噴出させことにより洗浄処理を行った後、洗浄ノズルからすすぎ水を噴出させてすすぎ処理を行い、その後に、洗浄対象物に乾燥用空気を通風して乾燥処理を行うという態様が、標準的なものである。
ただし、場合によっては手洗い済みなどの、洗浄を必要としない洗浄対象物に対して、すすぎ処理および乾燥処理を行うように使用されるなど、他の種々の使用形態で使用されることもある。
【０００３】
このような食器洗浄乾燥機において、通風経路を経て洗浄空間の空気を循環させる通風手段、通風経路を通して循環される空気を除湿する除湿部を備え、乾燥処理の工程で、洗浄空間の空気を空気吸引口から吸引し、冷却水により冷却される除湿部において除湿した後、空気供給口から洗浄空間に戻すようにした循環式のものがある。
【０００４】
この循環式の食器洗浄乾燥機の場合、乾燥処理の際に、湿った空気が機外に排出されることがないため、使用者や、食器洗浄乾燥機が設置される台所などの設置エリアに存在する他の機器類に湿った空気が吹き付けられるというような不都合が解消され、快適な食器の洗浄、乾燥を行うことが可能になる。
【０００５】
このような食器洗浄乾燥機の一つとして、平面視で四角形状に形成された洗浄空間における４つの周壁部のうち、１つの周壁部の上部領域に、洗浄空間からの空気を吸引するための空気吸引口が形成されているとともに、上記周壁部における下側領域に洗浄空間へ空気を供給する空気供給口が形成されており、空気吸引口から空気供給口に亘る通風経路中に通風手段としての循環ファンおよび、冷却水により冷却することにより循環する空気の除湿を行う除湿部が設けられた食器洗浄乾燥機が提案されている（特許文献１参照）。
【０００６】
しかしながら、特許文献１の食器洗浄乾燥機においては、除湿用冷却水の温度によって除湿能力が変わり、それによって乾燥性能が変動するという問題点がある。すなわち、水温が低い季節と高い季節とでは、食器を洗浄、乾燥した時の仕上がりにばらつきが生じるという問題点がある。
【先行技術文献】
【特許文献】
【０００７】
【特許文献１】特開平８−１３１３９１号公報
【発明の概要】
【発明が解決しようとする課題】
【０００８】
本発明は、上記の課題を解決するためになされたものであり、季節が異なっても均一な乾燥を行うことが可能で、かつ、食器の乾燥工程で湿度の高い空気を排出することのない食器洗浄乾燥機を提供することを目的とする。
【課題を解決するための手段】
【０００９】
上記の目的を達成するために、本発明の食器洗浄乾燥機は、
食器を収容し、洗浄水を噴き付けて食器の洗浄を行う洗浄槽と、
前記洗浄槽内に形成された洗浄空間に配設された空気吸引口から、前記洗浄空間に配設された空気供給口に亘って形成された通風経路を経て、前記洗浄空間内の空気を循環させる通風手段と、
前記通風経路を経て循環される空気の除湿を行う除湿部と、
食器類を乾燥させる乾燥工程において、前記洗浄空間内の空気を前記空気吸引口から吸引し、前記除湿部に導いて除湿した後、前記通風経路を経て前記洗浄空間に戻す、除湿乾燥運転を、所定の乾燥時間に亘り実行するように構成された食器洗浄乾燥機であって、
前記除湿部は、前記空気吸引口から吸引された前記洗浄空間からの空気を、単位時間当たりに所定の流量が供給される除湿用冷却水と所定の乾燥時間だけ接触させて、空気中の水分を凝縮させることにより、前記空気吸引口から吸引された前記洗浄空間からの空気の除湿を行い、
前記除湿用冷却水が、食器洗浄乾燥機が備える給水部を経由して、該食器洗浄乾燥機の外部から供給されるように構成されているとともに、
前記給水部から供給される前記除湿用冷却水の温度を検出する冷却水用温度検出手段を備えており、
前記冷却水用温度検出手段による検出温度が高いときには、前記冷却水用温度検出手段による検出温度が低いときよりも、前記所定の乾燥時間を長くする態様で、前記洗浄空間からの空気と前記除湿用冷却水とを接触させる前記所定の乾燥時間が設定されるように構成されていること
を特徴としている。
【発明の効果】
【００１０】
本発明の食器洗浄乾燥機は、上述のように、除湿部が、空気吸引口から吸引された洗浄空間からの空気を、単位時間当たりに所定の流量が供給される除湿用冷却水と所定の乾燥時間だけ接触させて、空気中の水分を凝縮させることにより、前記空気吸引口から吸引された前記洗浄空間からの空気の除湿を行うように構成されているとともに、冷却水用温度検出手段による検出温度が高いときには、冷却水用温度検出手段による検出温度が低いときよりも、前記所定の乾燥時間を長くする態様で、洗浄空間からの空気と除湿用冷却水とを接触させる所定の乾燥時間（すなわち、乾燥運転時間）が設定されるように構成されていることから、季節による除湿用冷却水の温度の変動により、時間当たりの除湿量が変化するような場合にも、乾燥の仕上がりにばらつきが生じることを防止して、安定した乾燥運転を行うことが可能な食器洗浄乾燥機を提供することができる。
【００１１】
また、除湿用冷却水が、食器洗浄乾燥機が備える給水部を経由して、該食器洗浄乾燥機の外部から供給されるとともに、給水部から供給される除湿用冷却水の温度を検出する冷却水用温度検出手段が設けられているので、除湿用冷却水の温度を検出する温度検出手段を設けるだけの簡単な構成で、乾燥の仕上がりに差が生じない食器洗浄乾燥機を提供することが可能になる。
【図面の簡単な説明】
【００１２】
【図１】本発明の実施例（実施例１）にかかる食器洗浄乾燥機の主要部の構成を示す斜視図である。
【図２】本発明の実施例１にかかる食器洗浄乾燥機の側面断面図である。
【図３】本発明の実施例１にかかる食器洗浄乾燥機の扉体の内側領域の概略構成を示す斜視図である。
【図４】本発明の実施例１にかかる食器洗浄乾燥機の扉体の内側領域の概略構成を示す分解斜視図である。
【図５】本発明の実施例１にかかる食器洗浄乾燥機において用いられている乾燥ユニットの構成を示す斜視図であって、前部側分割ケーシング部分を取り外した状態を示す図である。
【図６】本発明の実施例１にかかる食器洗浄乾燥機において用いられている乾燥ユニットの構成を示す正面図である。
【図７】本発明の実施例１にかかる食器洗浄乾燥機の動作を説明するための図である。
【図８】本発明の実施例１にかかる食器洗浄乾燥機を構成する季節判定手段の季節判定結果の出力の態様を説明する図である。
【図９】本発明が関連する発明の実施例（実施例２）にかかる食器洗浄乾燥機の構成を示す図である。
【図１０】本発明の他の実施例（実施例３）にかかる食器洗浄乾燥機の構成を示す図である。
【発明を実施するための形態】
【００１３】
以下、本発明の実施例を示して、その特徴とするところをさらに詳しく説明する。
【実施例１】
【００１４】
この実施例１の食器洗浄乾燥機は、引出し式の食器洗浄乾燥機であり、図１、図２、図３に示すように、前面部が開口された直方体形状の本体部１と、本体部１に対して、引出し移動および収納移動の各動作を自由に行うことができるような態様で配設された、平面視形状が略長方形の洗浄槽Ｄとを備えている。
【００１５】
洗浄槽Ｄは引出し部２を備えており、本体部１は引出部２を本体部１に対して移動可能に支持するスライド式レール機構（図示せず）を備えている。そして、引出し部２は、その大部分が本体部１の外方に露出するように引き出すことができるように構成されている。
【００１６】
また、本体部１には、この引出し部２を本体部１に収納した状態で洗浄槽Ｄの上面部を閉塞し、かつ、引出し部２を本体部１から引き出した状態で洗浄槽Ｄの上面部を開口させる内蓋部３が設けられており、洗浄槽Ｄの内部空間に、開閉自在な洗浄空間Ｑが確保されるように構成されている（図２参照）。
【００１７】
引出し部２の前面部には、本体部１の前面部の開口を開閉する扉体Ａが設けられ、その扉体Ａには、引出し部２を本体部１から引き出すときや、収納するときに把持するための把持部Ｂが設けられている。なお、詳述はしないが、把持部Ｂには、引出し部２を本体部１に収納するに伴って本体部１の係止部Ｐａに係合する係合手段Ｐが設けられており、この係合手段Ｐが係止部Ｐａに係合することにより、引出し部２を本体部１に収納した状態に保持するように構成されている。そして、係合手段Ｐは、引出し部２を本体部１から引き出すときに把持部Ｂを把持している手指で、係合を解除して係合状態を解除することができるように構成されている。さらに、扉体Ａには、運転のための各種操作を行う操作部ＳＳが設けられている。
また、この実施例１の食器洗浄乾燥機においては、図７に示すように、洗浄槽Ｄに水を供給する給水路４および給水路４を開閉する給水弁４ａが設けられている。
【００１８】
引出し部２における洗浄槽Ｄの底部下方には、正転で洗浄ポンプとして機能し、かつ、逆転で排水ポンプとして機能するポンプ（兼用ポンプ）６が設けられている。また、洗浄槽Ｄの内部には、洗浄ノズル８や加熱手段としての電気式のヒータ９などが配置され、さらに、食器などの洗浄対象物を収納載置する洗浄かご１０が、洗浄槽Ｄの内部に着脱可能に装着されている。
【００１９】
ポンプ６は、吸引管１１を介して洗浄槽Ｄの底部に形成された水貯留用凹部Ｓに接続されている。また、ポンプ６には排水のための排水管１２が接続されている。
さらに、水貯留用凹部Ｓには、案内管１３を介して水位センサＪが接続されている。
なお、図２に示すように、本体部１の底部には、漏水受止め用のドレンパン１４が配備されており、特に図示しないが、このドレンパン１４には、受け止めた水の存否を検出する漏水センサが装備されている。
【００２０】
また、図２、図３、図４および図７に示すように、洗浄槽Ｄにおける４つの側壁部のうちの機体前面側、すなわち、引出し部前面側に相当する前側壁部Ｄｆには、乾燥ユニットＫが取り付けられている。
【００２１】
つまり、前側壁部Ｄｆには、図４などに示すように、乾燥ユニットＫからの空気を洗浄空間Ｑに供給する空気供給口２１、および、乾燥ユニットＫが洗浄空間Ｑ内の空気を吸引する空気吸引口２２が、下方側で左右両側に離れた位置に形成されている。具体的には、空気供給口２１および空気吸引口２２は、洗浄かご１０よりも下方側に位置するように形成されるものであり、この実施例１では、空気供給口２１を右側に、空気吸引口２２を左側に位置させている。
【００２２】
乾燥ユニットＫは、図３〜図７などに示すように、洗浄槽Ｄの前側壁部Ｄｆに止着されるケーシング１５の内部に、空気吸引口２２から空気供給口２１に亘る通風経路Ｆを経て洗浄空間Ｑの空気を循環させる循環ファン（通風手段）２３、および、通風経路Ｆを通して循環される空気を除湿する除湿部Ｇを備えている。循環ファン（通風手段）２３としては、シロッコファンが用いられている。
【００２３】
通風経路Ｆは、図７に示すように、空気吸引口２２から上方側に伸びる上昇経路部分ｆ１とその上昇経路部分ｆ１の上端部から空気供給口２１に向けて下方側に伸びる下降経路部分ｆ２とからなる逆Ｕ字状に形成されており、上昇経路部分ｆ１に除湿部Ｇが配設され、下降経路部分ｆ２に循環ファン（通風手段）２３が配設されている。
【００２４】
この実施例１の食器洗浄乾燥機は、さらに、図７に示すように、分配ノズル５１に除湿用冷却水を供給する除湿用給水路２６、除湿用給水路２６を開閉する除湿用冷却水断続弁２７、および、給水圧安定用のガバナ２８を備えている。ガバナ２８は給水圧を安定化させて、除湿用冷却水供給手段２５の分配ノズル５１に供給される水の流量をほぼ一定（実施例では０．１５リッター／分）に維持することができるように構成されている。
【００２５】
次に、この実施例１の食器洗浄乾燥機の通風経路Ｆにおける空気の流れについて説明する。図５および図６に示すように、循環ファン（通風手段）２３が作動すると、吸引用開口２３Ａから空気が吸引され、洗浄空間Ｑ内部の空気がケーシング１５の横側壁部１５ａと仕切り壁４０とにより区画された上昇経路部分ｆ１を通り上方に向けて流動する。そして、循環ファン２３の吐き出し部２３Ｂから吐き出された空気が、下降経路部分ｆ２を通して下方に向けて流動して空気供給口２１から洗浄空間Ｑ内に供給される。
【００２６】
そして、この実施例１の食器洗浄乾燥機においては、上昇経路部分ｆ１が複数（この実施例では５枚）の伝熱体２４ａによって仕切られてスリット状分割経路となり、上昇経路部分ｆ１を通過する空気は各スリット状分割経路を通過する。
【００２７】
各スリット状分割経路を通過する、水分を多量に含む空気は、分配ノズル５１の各流下口５３からほぼ均一に流下する除湿用冷却水により効率よく冷却された各伝熱体２４ａおよびその表面を流下する除湿用冷却水と接触して冷却され、空気中の水分が凝縮して分離される。
【００２８】
なお、各流下口５３から流下した除湿用冷却水は、凝縮した水分とともに、空気吸引口２２を経て洗浄槽Ｄに戻り、水貯留用凹部Ｓに貯留される。
【００２９】
そして、ヒータ９を作動させた状態で、循環ファン（通風手段）２３を作動させて洗浄空間Ｑからの空気を吸引し、通風経路Ｆを経て通風させるとともに、分配ノズル５１の流下口５３から除湿用冷却水を流下させることにより、除湿部Ｇで洗浄空間Ｑから吸引した空気の除湿を行い、除湿後の空気を乾燥用の空気として洗浄空間Ｑに循環供給し、その供給された空気をヒータ９で加熱することにより、洗浄空間Ｑ内の洗浄対象物を乾燥する乾燥運転が行われる。
【００３０】
また、ヒータ９を停止した状態で、洗浄空間Ｑ内の空気を通風経路Ｆを通して通風させ、除湿部Ｇにおいて、分配ノズル５１の流下口５３から流下する除湿用冷却水に接触させ、空気中に含まれる例えばアンモニアやトリメチルアミンなどの臭気成分を除湿用冷却水に吸収させて除去することにより、循環空気の消臭が行われるように構成されている。
【００３１】
なお、洗浄空間Ｑから吸引した空気中の臭気成分を除湿部Ｇにて除湿用冷却水に吸収させて分離した後、洗浄空間Ｑに供給することにより、洗浄空間Ｑの消臭も行われることになる。
【００３２】
また、この食器洗浄乾燥機の場合、引出し部２には、図７に示すように、運転を制御する制御手段としての制御部Ｈが装備されており、この制御部Ｈが、操作部ＳＳにおいて入力される指令に基づいて、給水弁４ａ、ポンプ６、ヒータ９、循環ファン（通風手段）２３、および、除湿用冷却水断続弁２７の動作を制御して、洗浄槽Ｄの内部の洗浄空間Ｑの洗浄対象物を洗浄液（湯水）による洗浄処理を行う洗浄運転、洗浄槽Ｄの水貯留用凹部Ｓに貯留されかつヒータ９にて加熱されるすすぎ水による洗浄対象物のすすぎ処理を行うすすぎ運転、洗浄槽Ｄの水貯留用凹部Ｓに貯留されたすすぎ水を排水処理する排水運転、ヒータ９を加熱作用させた状態で循環ファン２３による通風および除湿用冷却水供給手段２５の分配ノズル５１からの除湿用冷却水の供給（流下）を行って空気の乾燥処理を行う乾燥運転、および、ヒータ９を停止させた状態で循環ファン２３による通風および除湿用冷却水供給手段２５における分配ノズル５１からの除湿用冷却水の供給（流下）を行って空気の消臭処理を行う消臭運転などの運転を行う。すなわち、制御部Ｈは、乾燥処理において、洗浄空間Ｑの空気を除湿しながら循環させるべく、循環ファン２３および除湿部Ｇの作動を制御するように構成されている。
【００３３】
また、この実施例１の食器洗浄乾燥機は、使用者が、操作部ＳＳにより、洗浄運転、すすぎ運転、排水運転、乾燥運転、消臭運転の順に運転させる連続運転コースや、乾燥運転のみ運転させる乾燥のみコースなど各種の運転コースを選択できるように構成されており、さらに、連続運転コースとして、標準運転コース、念入り運転コース、快速運転コース、低温運転コースが備えられている。
【００３４】
以下、制御部Ｈの制御動作について説明する。
まず、図外の収納スイッチにより、引出し部２が本体部１の収納位置に収納されることが検出され、操作部ＳＳの電源スイッチがＯＮ操作されると、運転コースの選択が行われる。
【００３５】
操作部ＳＳのスタートスイッチがＯＮ操作されると、標準運転コースが開始し、洗浄運転、すすぎ運転、排水運転、乾燥運転、消臭運転、排水運転が順次実行される。
【００３６】
洗浄運転では、給水弁４ａを開弁して給水路４を通して洗浄槽Ｄ内に洗浄水を給水し、その水位が水位センサＪにて設定水位に達したことが検出されると、給水弁４ａを閉じる給水動作を行い、その後、ポンプ６を正転作動させ、かつヒータ９を作動させて、洗浄水を洗浄ノズル８から洗浄対象物に向けて噴出する洗浄動作を、洗浄運転用設定時間が経過するまで行い、次に、ポンプ６を逆転作動させ、洗浄槽Ｄ内の洗浄水を排水する排水動作を行う。
【００３７】
また、すすぎ運転では、上述の洗浄運転における給水動作と同様の給水動作を行って、洗浄槽Ｄの底部にすすぎ水を設定水位貯留させ、その後、ポンプ６を正転作動させて洗浄対象物にむけて設定時間が経過するまで洗浄ノズル８からすすぎ水を噴出するすすぎ水噴出動作、および、ポンプ６を逆転作動させて洗浄槽Ｄの底部に貯留されたすすぎ水を排水する排水動作を順次行うすすぎ動作を２回行い、最後に加熱すすぎ動作を行う。
【００３８】
加熱すすぎ動作では、上述の給水動作により、洗浄槽Ｄの底部にすすぎ水を設定水位貯留させた後、ポンプ６およびヒータ９を作動させ、ヒータ９で加熱されたすすぎ水により洗浄対象物のすすぎを行う。そして、サーミスタＴＨ（図２参照）により、すすぎ水の温度が仕上げ用設定温度（例えば、６７℃）になると、加熱すすぎ動作を終了する。なお、サーミスタＴＨは、この実施例１の食器洗浄乾燥機における季節判定手段を構成する温度検出手段としても機能するものである。
【００３９】
排水運転では、ポンプ６を逆転作動させて、洗浄槽Ｄの底部に貯留されたすすぎ水を排水する排水動作を、水位センサＪにて洗浄槽Ｄの底部に貯留されたすすぎ水が排出されたことが検出されるまで行う。
【００４０】
乾燥運転では、ヒータ９を加熱作用させた状態で、循環ファン２３による通風動作および除湿用冷却水供給手段２５の分配ノズル５１からの除湿用冷却水の供給動作を行わせ、その状態を乾燥用設定時間が経過するまで継続させる。
【００４１】
なお、除湿用冷却水供給手段２５の分配ノズル５１からの除湿用冷却水の供給は、除湿用冷却水断続弁２７を開弁し、除湿用給水路２６を経て分配ノズル５１に水を供給し、分配ノズル５１の流下口５３から除湿用冷却水を流下させることにより行う。このとき、給水圧安定用のガバナ２８により、除湿用冷却水の流量がほぼ一定（実施例では０．１５リッター／分）に維持される。
【００４２】
分配ノズル５１の流下口５３から供給（流下）される除湿用冷却水は、通風経路Ｆにおける上昇経路部分ｆ１を経て流下し、ケーシング１５の内面にて案内されて水貯留用凹部Ｓに貯留される。
【００４３】
そして、貯留される除湿用冷却水によってヒータ９が浸漬することがないように、設定時間が経過する毎に、または、水位センサＪにて水貯留用凹部Ｓの水位が排水用設定水位であることが検出されたときに、ポンプ６を逆転作動させて除湿用冷却水を外部に排出させる排水処理を実行するように構成されている。
【００４４】
乾燥運転を開始して乾燥用設定時間が経過すると、ヒータ９の加熱、循環ファン２３による通風を停止し、除湿用冷却水断続弁２７を閉弁して分配ノズル５１への水の供給を停止して分配ノズル５１からの除湿用冷却水の流下を停止させる。
【００４５】
消臭運転では、ヒータ９を停止させた状態で、循環ファン２３による通風動作および除湿用冷却水供給手段２５の分配ノズル５１からの除湿用冷却水の供給動作を行わせ、その状態を消臭用設定時間が経過するまで維持する。この消臭運転においても上述の乾燥運転の場合と同様に、設定時間が経過する毎に、または、水位センサＪにて水貯留用凹部Ｓの水位が排水用設定水位であることが検出されたときに、ポンプ６を逆転作動させて、分配ノズル５１から噴出されて水貯留用凹部Ｓに貯留される除湿用冷却水を外部に排出させる排水処理を実行するように構成されている。
【００４６】
消臭運転を開始してから消臭用設定時間が経過すると、循環ファン２３による通風動作および除湿用冷却水供給手段２５の分配ノズル５１からの除湿用冷却水の供給動作を停止して消臭運転を終了する。
【００４７】
そして、消臭運転が終了した後に、排水運転を実行する。この排水運転は、ポンプ６を逆転作動させて水貯留用凹部Ｓに貯留されている除湿用冷却水を排出させる排水動作を、水位センサＪにて、貯留されている除湿用冷却水が排水されたことが検出されるまで行う。
【００４８】
なお、上記洗浄運転および上記すすぎ運転において給水動作を実行するときには、除湿用冷却水断続弁２７を開弁し、除湿用給水路２６を経て分配ノズル５１に水が供給されるようにする処理も併せて行うようにしている。このように、水を無駄にしない状態で除湿部Ｇに除湿用給水路２６から水を供給して、除湿部Ｇをできるだけ清潔な状態に保つように構成されている。
【００４９】
そして、この実施例１の食器洗浄乾燥機においては、図２に示すように、洗浄槽Ｄの底面に密着するように、温度検出手段としてサーミスタ（温度検出手段）ＴＨが配設されている。なお、サーミスタＴＨは、平面視におけるヒータ９の配設領域に対応する洗浄槽Ｄの底面の裏側（すなわち、洗浄槽Ｄの底面の裏側の、ヒータ９が配設されている位置の真下となる位置）に配設されている。
そして、使用者が操作部ＳＳの電源スイッチをＯＮ操作すると、制御部Ｈ（図７）において、ヒータ９の通電を停止してから所定時間（例えば５時間）以上経過していたときは、サーミスタＴＨの検出温度の出力より、季節判定手段が季節の判定を行う。なお、この実施例１の食器洗浄乾燥機では、制御部Ｈが季節判定手段としての機能も併せて果たすように構成されている。
【００５０】
なお、この実施例１の食器洗浄乾燥機では、例えば、ヒータ９の通電を停止してから５時間以上経過した時点でのサーミスタＴＨの検出温度により、表１および図８に示すような季節判定の結果が出力されるように構成されている。
なお、初期設定は、「春・秋」に設定されている。
また、ヒータ９の通電を停止してから５時間以上経過していない場合には、前回の判定結果を用いるように構成されている。
【００５１】
季節判定の出力を、表１および図８について説明すると、５時間以上経過した時点でのサーミスタＴＨの検出温度が、例えば２５℃以上であると、季節は夏であるとの判定結果が出力され、その後、検出温度が２３℃に低下すると、季節が夏から春・秋になったと判定される。その後、検出温度が１２℃以下に低下すると、季節が春・秋から冬になったと判定される。さらにその後、検出温度が１４℃になると、季節が冬から春・秋になったと判定される。
【００５２】
【表１】
0005936300.tif 000002
【００５３】
季節判定手段により判定された季節は、後述する乾燥運転における、乾燥運転の設定時間の選択に使用される。
【００５４】
そして、乾燥運転においては、表２に示すように、季節判定手段の出力に応じて設定されている設定時間（乾燥運転時間）に達するまで、ヒータ９をＯＮにした状態で、循環ファン２３による通風動作および除湿用冷却水供給手段２５の分配ノズル５１からの除湿用冷却水の供給動作を行うことにより、食器の乾燥を行うように構成されている。
【００５５】
【表２】
0005936300.tif 000003
【００５６】
すなわち、この実施例１の食器洗浄乾燥機においては、凝縮部２４の伝熱体２４ａに分配ノズル５１から流れ出る除湿用冷却水を、通風経路Ｆを経て循環する洗浄槽Ｄ（洗浄空間Ｑ）内の高温多湿の空気に接触させることにより、空気が冷却される。そして、空気の温度が低下して飽和蒸気圧が低下し、その温度における飽和蒸気圧を超えた分だけ水分が凝縮して、空気中の水分が除去されることにより除湿が行われる。
【００５７】
そして、乾燥運転中は、循環ファン２３による通風動作、および、除湿用冷却水供給手段２５の分配ノズル５１からの除湿用冷却水の供給動作が継続して行われるので、除湿された空気が洗浄槽Ｄ（洗浄空間Ｑ）に戻るとともに、洗浄槽Ｄ内の空気が通風経路Ｆに取り込まれ、再度、除湿用冷却水に接触するという動作が繰り返されることで、洗浄槽内で蒸発した水分が除湿部Ｇで除去されつつ、食器の乾燥が進行する。
【００５８】
なお、表２では、乾燥・標準の条件において、夏期では冬期より５分間、乾燥・強力の条件において、夏期では冬期より１０分間乾燥時間が延長されている。これは夏季においては、冬期に比べて、外気温度が高く、除湿用冷却水の温度も高くなるため、除湿用冷却水の温度と、乾燥の対象となる空気（乾燥運転時に通風経路Ｆを通過する高温多湿の空気）との温度差が冬期より少なく、除湿部Ｇにおいて単位時間に除去される水分の量が少なくなるためである。
【００５９】
この実施例１の食器洗浄乾燥機のように、夏期の乾燥運転時間を、冬期の乾燥運転時間よりも長くすることにより、夏期にも冬期と同等の除湿量を確保することが可能になり、季節によって乾燥状態に差が生じることのない、安定した乾燥運転を行うことが可能になる。
【００６０】
なお、この実施例１の食器洗浄乾燥機において、乾燥運転中に運転が一時停止されたときには、ヒータ９、乾燥ファン２３をＯＦＦにし、除湿用冷却水断続弁２７はＯＮを継続して、その後再開されるであろう乾燥運転に備える。
【００６１】
ただし、扉体Ａを開けられたことによる一時停止、および一時停止スイッチによる一時停止が１時間を超える場合には、除湿用冷却水断続弁２７をＯＦＦにするように構成されている。
【００６２】
なお、この実施例１の食器洗浄乾燥機において、乾燥モードは、乾燥時間が短い「乾燥・標準」と、乾燥時間の長い「乾燥・強力」の２つのモードを備えており、通常は「乾燥・標準」に設定されているが、操作部ＳＳにより、「乾燥強力」を選択することもできるように構成されている。
【００６３】
なお、表３は、乾燥運転時の下記の運転コース、
(１)乾燥のみ、標準運転コース、念入り運転コース、快速運転コース、
(２)低温運転コース
におけるヒータ制御の設定温度（閾値）、すなわち、ヒータをＯＮにする温度であるヒータＯＮ温度、および、ヒータをＯＦＦにする温度であるヒータＯＦＦ温度を示している。
【００６４】
【表３】
0005936300.tif 000004
【００６５】
なお、表２の設定時間（乾燥運転用設定時間）に達するまでの間において、サーミスタＴＨの検出温度が表３のヒータＯＦＦ温度に達するまではヒータをＯＮにするようにヒータ制御が行われ、また、ヒータＯＦＦ温度に達した後、サーミスタＴＨの検出温度が表３のヒータＯＮ温度に達するまでは、ヒータをＯＦＦにするようにヒータ制御が行われるように構成されており、これによって洗浄槽内の温度がある程度の温度に保たれ、効率よく、安定した乾燥運転が行われる。
【実施例２】
【００６６】
図９は本発明が関連する発明の実施例（実施例２）にかかる食器洗浄乾燥機の構成を示す図である。
【００６７】
上記実施例１の食器洗浄乾燥機では、季節判定手段の出力に応じて乾燥運転時間を調整することにより、季節にかかわらず、均質な乾燥を行うことができるように構成した食器洗浄乾燥機を示したが、この実施例２の食器洗浄乾燥機では、図９に示すように、除湿用冷却水の単位時間当たり供給量を制御できるようにするために、給水圧安定用のガバナ２８の下流から分配ノズル５１の間に、水路面積を調整して水量を調整する水量調整弁６０を設けている。
すなわち、この実施例２の食器洗浄乾燥機では、実施例１の場合のように、季節判定手段の出力に応じて乾燥運転時間を調整する（実施例１）代わりに、季節判定手段の出力に応じて除湿用冷却水の流量を調整（増減制御）することにより、季節にかかわらず均質な乾燥を行うことができるようにしている。
【００６８】
なお、この実施例２の食器洗浄乾燥機は、水量調整弁６０を設けて除湿用冷却水の流量を調節できるようにしている点を除いて、実施例１の食器洗浄乾燥機と同じ構成を備えている。
【００６９】
この実施例２の食器洗浄乾燥機のように、季節判定手段の出力に応じて除湿部Ｇに供給される除湿用冷却水の供給量を調整する（具体的には、夏期の乾燥運転時に、冬期の乾燥運転時よりも、除湿部Ｇへの除湿用冷却水の単位時間当たりの供給量を増やす）ようにした場合にも、季節によって乾燥状態に差のない、安定した乾燥運転を行うことが可能になる。
【００７０】
なお、上記実施例１でも説明したように、夏季においては、冬期に比べて、外気温度が高く、除湿用冷却水の温度も高くなるため、除湿用冷却水の温度と、乾燥の対象となる空気（洗浄運転時に通風経路を通過する高温多湿の空気）との温度差が冬期より少なく、除湿用冷却水の供給量が同じであれば、夏期の方が冬期に比べて、除湿部Ｇで単位時間に除去される水分の量が少なくなるが、この実施例２の食器洗浄乾燥機のように、夏期の乾燥運転時に、冬期の乾燥運転時よりも、除湿部Ｇへの除湿用冷却水の単位時間当たりの供給量を増やして、除湿部Ｇにおける冷却能力を高くすることにより、冬期と同等の除湿量を確保することができる。
その結果、季節によって乾燥状態に差のない、安定した乾燥運転を行うことが可能な食器洗浄乾燥機を得ることが可能になる。
【００７１】
なお、この実施例２の食器洗浄乾燥機では、除湿用冷却水の単位時間当たり供給量を制御するために、給水圧安定用のガバナ２８の下流から分配ノズル５１の間に、水路面積を調整して水量を調整する水量調整弁６０を設けるようにしているが、除湿用冷却水の単位時間当たり供給量を調整できるようにするための構成は、必ずしも上記の例に限られるものではない。
【実施例３】
【００７２】
上記実施例１および２の食器洗浄乾燥機においては、洗浄槽Ｄの底面に配設したサーミスタ（温度検出手段）ＴＨ（図２参照）により検出される温度により季節判定を行うようにしているが、図１０に示すように、除湿用冷却水の温度を検知するサーミスタＴＨ２（冷却水用温度検出手段）を除湿用冷却水断続弁２７の近くに設け、そのサーミスタＴＨ２により検知された除湿用冷却水の温度により、季節判定を行い、その結果に応じて、乾燥運転時間を決定するように構成することも可能である。
なお、この実施例３の食器洗浄乾燥機は、サーミスタＴＨ２を除湿用冷却水断続弁２７の近くに設け、そのサーミスタＴＨ２により検知された除湿用冷却水の温度により、季節判定を行うようにした点を除いて、実施例１の食器洗浄乾燥機と同じ構成を備えている。
【００７３】
本発明は上記の各実施例に限定されるものではなく、本発明の範囲内において種々の応用、変形を加えることが可能である。
【符号の説明】
【００７４】
１          本体部
２          引出部
３          内蓋部
４          給水路
４ａ        給水弁
６          ポンプ（兼用ポンプ）
８          洗浄ノズル
９          ヒータ
１０        洗浄かご
１１        吸引管
１２        排水管
１３        案内管
１４        漏水受止め用のドレンパン
１５        ケーシング
１５ａ      横側壁部
２１        空気供給口
２２        空気吸引口
２３        循環ファン（通風手段）
２３Ａ      循環ファンの吸引用開口
２３Ｂ      循環ファンの吐き出し部
２４        凝縮部
２４ａ      伝熱体
２５        除湿用冷却水供給手段
２６        除湿用給水路
２７        除湿用冷却水断続弁
２８        給水圧安定用のガバナ
４０        仕切り壁
５１        分配ノズル
５３        流下口
６０        水量調整弁
Ａ          扉体
Ｂ          把持部
Ｄ          洗浄槽
Ｄｆ        前側壁部
Ｆ          通風経路
ｆ１        上昇経路部分
ｆ２        下降経路部分
Ｇ          除湿部
Ｈ          制御部
Ｊ          水位センサ
Ｋ          乾燥ユニット
Ｐ          係合手段
Ｐａ        係止部
Ｑ          洗浄空間
Ｓ          水貯留用凹部
ＳＳ        操作部
ＴＨ        サーミスタ（温度検出手段）
ＴＨ２      除湿用冷却水の温度を検知するサーミスタ
【図１】
0005936300.tif 000005
【図２】
0005936300.tif 000006
【図３】
0005936300.tif 000007
【図４】
0005936300.tif 000008
【図５】
0005936300.tif 000009
【図６】
0005936300.tif 000010
【図７】
0005936300.tif 000011
【図８】
0005936300.tif 000012
【図９】
0005936300.tif 000013
【図１０】
0005936300.tif 000014